(57)【要約】【課題】詳細な構造物の情報又は画像を用いることなく、対象空間の電波伝搬特性を推定する。【解決手段】構造データ及びシステムデータを用いた無線通信システムが構築される空間の電波伝搬特性を推定する計算機システムであって、プロセッサ及び記憶装置を有する計算機を備え、構造データに含まれるパラメタであって、空間の電波伝搬特性の推定結果への寄与が大きい特徴パラメタ、及び空間の種別を対応づけたエントリを格納する特徴パラメタ情報を保持し、プロセッサは、対象空間の電波伝搬特性の推定要求を受信した場合、特徴パラメタ情報から対象空間の種別に対応するエントリを検索し、検索されたエントリに含まれる特徴パラメタの値を推定用構造データとして入力するためのインタフェースと、推定用システムデータを入力するためのインタフェースとを提示する。【選択図】図２
2020120180.tif 000002
【特許請求の範囲】
【請求項１】
構造データ及びシステムデータを用いた無線通信システムが構築される空間の電波伝搬特性を推定する計算機システムであって、
前記構造データは、前記空間の種別及び構造の特性を示すパラメタの値から構成され、
前記システムデータは、前記無線通信システムの設計に関する値から構成され、
前記計算機システムは、
プロセッサ、前記プロセッサに接続される記憶装置、及び前記プロセッサに接続される通信装置を有する少なくとも一つの計算機を備え、
前記構造データに含まれるパラメタであって、前記空間の電波伝搬特性の推定結果への寄与が大きい特徴パラメタ、及び前記空間の種別を対応づけたエントリを格納する特徴パラメタ情報を保持し、
前記プロセッサは、
対象空間の電波伝搬特性の推定要求を受信した場合、前記対象空間の種別を取得し、
前記特徴パラメタ情報から前記対象空間の種別に対応するエントリを検索し、
前記検索されたエントリに含まれる特徴パラメタの値を推定用構造データとして入力するための第１インタフェースと、推定用システムデータを入力するための第２インタフェースとを提示し、
前記推定用構造データ及び前記推定用システムデータを用いて、前記対象空間の電波伝搬特性を推定することを特徴とする計算機システム。
【請求項２】
請求項１に記載の計算機システムであって、
前記構造データを格納する構造情報と、前記システムデータを格納するシステム情報と、前記空間の電波伝搬特性を示す特性データを格納する特性情報と、前記構造データ、前記システムデータ、及び前記特性データの関連付けを示す索引データを格納する索引情報と、を保持し、
前記プロセッサは、前記構造データ及び前記システムデータに基づいて空間の電波伝搬特性を推定する推定モデルを用いて、前記空間の種別毎に、前記特徴パラメタを特定するための解析処理を実行することによって、前記特徴パラメタ情報を生成することを特徴とする計算機システム。
【請求項３】
請求項２に記載の計算機システムであって、
前記プロセッサは、
前記推定用構造データ及び前記推定用システムデータが入力された場合、前記空間の種別が、前記対象空間の種別に対応する前記構造データを前記構造情報から取得し、
前記索引情報を参照して、当該構造データに関連付けられる前記システムデータを前記システム情報から取得し、
前記索引情報を参照して、前記推定用構造データに類似する前記構造データ及び前記推定用システムデータに類似する前記システムデータの組合せと関連付けられる前記特性データを検索し、
前記対象空間の電波伝搬特性の推定結果として、前記検索された特性データを出力することを特徴とする計算機システム。
【請求項４】
請求項３に記載の計算機システムであって、
前記プロセッサは、
前記構造情報から取得された構造データと、前記推定用構造データとを比較することによってデータの類似性を示す第１類似度を算出し、
前記システム情報から取得されたシステムデータと、前記推定用システムデータとを比較することによってデータの類似性を示す第２類似度を算出し、
前記第１類似度及び第１閾値の比較結果に基づいて、前記取得された構造データの中から、前記推定用構造データに類似する前記構造データを特定し、
前記第２類似度及び第２閾値の比較結果に基づいて、前記取得されたシステムデータの中から、前記推定用システムデータに類似する前記システムデータを特定することを特徴とする計算機システム。
【請求項５】
請求項２に記載の計算機システムであって、
前記プロセッサは、前記推定用構造データ及び前記推定用システムデータが入力された場合、前記推定モデルに基づいて、前記推定用構造データ及び前記推定用システムデータを処理することによって、前記対象空間の電波伝搬特性の推定結果を算出することを特徴とする計算機システム。
【請求項６】
請求項３又は請求項５に記載の計算機システムであって、
前記プロセッサは、前記構造情報、前記システム情報、及び前記特性情報を用いた学習処理を実行することによって、前記推定モデルを生成することを特徴とする計算機システム。
【請求項７】
少なくとも一つの計算機を含む計算機システムが実行する、構造データ及びシステムデータを用いた無線通信システムが構築される空間の電波伝搬特性の推定方法であって、
前記少なくとも一つの計算機は、プロセッサ、前記プロセッサに接続される記憶装置、及び前記プロセッサに接続される通信装置を有し、
前記構造データは、前記空間の種別及び構造の特性を示すパラメタの値から構成され、
前記システムデータは、前記無線通信システムの設計に関する値から構成され、
前記計算機システムは、前記構造データに含まれるパラメタであって、前記空間の電波伝搬特性の推定結果への寄与が大きい特徴パラメタ、及び前記空間の種別を対応づけたエントリを格納する特徴パラメタ情報を保持し、
前記空間の電波伝搬特性の推定方法は、
前記プロセッサが、対象空間の電波伝搬特性の推定要求を受信した場合、前記対象空間の種別を取得する第１のステップと、
前記プロセッサが、前記特徴パラメタ情報から前記対象空間の種別に対応するエントリを検索する第２のステップと、
前記プロセッサが、前記検索されたエントリに含まれる特徴パラメタの値を推定用構造データとして入力するための第１インタフェースと、推定用システムデータを入力するための第２インタフェースとを提示する第３のステップと、
前記プロセッサが、前記推定用構造データ及び前記推定用システムデータを用いて、前記対象空間の電波伝搬特性を推定する第４のステップと、を含むことを特徴とする空間の電波伝搬特性の推定方法。
【請求項８】
請求項７に記載の空間の電波伝搬特性の推定方法であって、
前記計算機システムは、前記構造データを格納する構造情報と、前記システムデータを格納するシステム情報と、前記空間の電波伝搬特性を示す特性データを格納する特性情報と、前記構造データ、前記システムデータ、及び前記特性データの関連付けを示す索引データを格納する索引情報と、を保持し、
前記空間の電波伝搬特性の推定方法は、前記プロセッサが、前記構造データ及び前記システムデータに基づいて空間の電波伝搬特性を推定する推定モデルを用いて、前記空間の種別毎に、前記特徴パラメタを特定するための解析処理を実行することによって、前記特徴パラメタ情報を生成するステップを含むことを特徴とする空間の電波伝搬特性の推定方法。
【請求項９】
請求項８に記載の空間の電波伝搬特性の推定方法であって、
前記第４のステップは、
前記プロセッサが、前記推定用構造データ及び前記推定用システムデータが入力された場合、前記空間の種別が、前記対象空間の種別に対応する前記構造データを前記構造情報から取得する第５のステップと、
前記プロセッサが、前記索引情報を参照して、当該構造データに関連付けられる前記システムデータを前記システム情報から取得する第６のステップと、
前記プロセッサが、前記索引情報を参照して、前記推定用構造データに類似する前記構造データ及び前記推定用システムデータに類似する前記システムデータの組合せと関連付けられる前記特性データを検索する第７のステップと、
前記プロセッサが、前記対象空間の電波伝搬特性の推定結果として、前記検索された特性データを出力する第８のステップと、を含むことを特徴とする空間の電波伝搬特性の推定方法。
【請求項１０】
請求項９に記載の空間の電波伝搬特性の推定方法であって、
前記第７のステップは、
前記プロセッサが、前記構造情報から取得された構造データと、前記推定用構造データとを比較することによってデータの類似性を示す第１類似度を算出するステップと、
前記プロセッサが、前記システム情報から取得されたシステムデータと、前記推定用システムデータとを比較することによってデータの類似性を示す第２類似度を算出するステップと、
前記プロセッサが、前記第１類似度及び第１閾値の比較結果に基づいて、前記取得された構造データの中から、前記推定用構造データに類似する前記構造データを特定するステップと、
前記プロセッサが、前記第２類似度及び第２閾値の比較結果に基づいて、前記取得されたシステムデータの中から、前記推定用システムデータに類似する前記システムデータを特定するステップと、を含むことを特徴とする空間の電波伝搬特性の推定方法。
【請求項１１】
請求項８に記載の空間の電波伝搬特性の推定方法であって、
前記第４のステップは、前記プロセッサが、前記推定用構造データ及び前記推定用システムデータが入力された場合、前記推定モデルに基づいて、前記推定用構造データ及び前記推定用システムデータを処理することによって、前記対象空間の電波伝搬特性の推定結果を算出するステップを含むことを特徴とする空間の電波伝搬特性の推定方法。
【請求項１２】
請求項９又は請求項１１に記載の空間の電波伝搬特性の推定方法であって、
前記プロセッサが、前記構造情報、前記システム情報、及び前記特性情報を用いた学習処理を実行することによって、前記推定モデルを生成するステップを含むことを特徴とする空間の電波伝搬特性の推定方法。
【請求項１３】
無線通信システムが構築される空間の電波伝搬特性を推定する計算機であって、
プロセッサ、前記プロセッサに接続される記憶装置、及び前記プロセッサに接続される通信装置を備え、
前記空間の種別及び構造の特性を示すパラメタの値から構成される構造データ、並びに前記無線通信システムの設計に関する値から構成されるシステムデータに基づいて、空間の電波伝搬特性を推定する推定部を備え、
前記構造データに含まれるパラメタであって、前記空間の電波伝搬特性の推定結果への寄与が大きい特徴パラメタ、及び前記空間の種別を対応づけたエントリを格納する特徴パラメタ情報を保持し、
前記推定部は、
対象空間の電波伝搬特性の推定要求を受信した場合、前記対象空間の種別を取得し、
前記特徴パラメタ情報から前記対象空間の種別に対応するエントリを検索し、
前記検索されたエントリに含まれる特徴パラメタの値を推定用構造データとして入力するための第１インタフェースと、推定用システムデータを入力するための第２インタフェースとを提示し、
前記推定用構造データ及び前記推定用システムデータを用いて、前記対象空間の電波伝搬特性を推定することを特徴とする計算機。
【請求項１４】
請求項１３に記載の計算機であって、
前記構造データを格納する構造情報と、前記システムデータを格納するシステム情報と、前記空間の電波伝搬特性を示す特性データを格納する特性情報と、前記構造データ、前記システムデータ、及び前記特性データの関連付けを示す索引データを格納する索引情報と、を保持し、
前記推定部は、前記構造データ及び前記システムデータに基づいて空間の電波伝搬特性を推定する推定モデルを用いて、前記空間の種別毎に、前記特徴パラメタを特定するための解析処理を実行することによって、前記特徴パラメタ情報を生成することを特徴とする計算機。
【請求項１５】
請求項１４に記載の計算機であって、
前記推定部は、
前記推定用構造データ及び前記推定用システムデータが入力された場合、前記空間の種別が、前記対象空間の種別に対応する前記構造データを前記構造情報から取得し、
前記索引情報を参照して、当該構造データに関連付けられる前記システムデータを前記システム情報から取得し、
前記索引情報を参照して、前記推定用構造データに類似する前記構造データ及び前記推定用システムデータに類似する前記システムデータの組合せと関連付けられる前記特性データを検索し、
前記対象空間の電波伝搬特性の推定結果として、前記検索された特性データを出力することを特徴とする計算機。
【発明の詳細な説明】
【技術分野】
【０００１】
本発明は、無線通信における空間の電波伝搬特性を推定するシステム及び方法に関する。
【背景技術】
【０００２】
近年、無線通信技術の普及に伴って、携帯電話等の屋外移動通信に用いられた無線通信システムを屋内へ導入する潮流がある。例えば、無線ＬＡＮ（Ｌｏｃａｌ  Ａｒｅａ  Ｎｅｔｗｏｒｋ）、Ｂｌｕｅｔｏｏｔｈ（登録商標、以下同じ）、ｚｉｇｂｅｅ（登録商標、以下同じ）等の無線規格を用いた無線通信システムは、家庭及びオフィス内の高速データ通信の実現と、工場、発電所、トンネル、及びエレベータ等で用いられるセンサネットワークへの活用とが期待されている。
【０００３】
無線通信システムを導入するにあたって、適切な通信エリアを設定するためには基地局の配置を設定する必要がある。置局設計では、基地局の設置に伴うコストを削減するために、無線通信システムが構築される対象空間の電波伝搬特性に基づいて、小数の基地局で広範囲の通信エリアをカバーできるように基地局の配置が決定される。したがって、対象空間の電波伝搬特性を推定する技術は重要である。
【０００４】
対象空間の電波伝搬特性を推定する技術として特許文献１及び特許文献２に記載の技術が知られている。
【０００５】
特許文献１には、「地形データが予め記憶された地形データベースと、送信点と受信点とを結ぶ線分を一辺とする四角形の平面を、線分の周りに複数定義し、定義した複数の平面それぞれの面上において、地形データに基づく送信点と受信点との間の地形に沿った地形プロファイルを定義し、定義した地形プロファイルそれぞれについて伝搬経路を設定する伝搬経路設定手段と、伝搬経路それぞれについて伝搬損失を計算する伝搬損失計算手段と、伝搬経路それぞれについて計算した伝搬損失に基づいて、送信点と受信点間の伝搬損失値を出力する伝搬損失出力手段とを備えた」装置が開示されている。
【０００６】
特許文献２には、「デジタルカメラで、対象エリアを複数の方向から撮影した画像データを生成する。画像処理装置は、画像データと撮影条件から対象エリアの構造物の特徴を抽出し、構造物特徴データを得る。解析用数値モデル作成装置は、構造物特徴データから数値モデルデータを生成する。受信電力解析装置は、無線機条件に基づき、数値モデルデータに対して電磁界解析を行って無線機の受信電力を計算結果として出力し、ディスプレイはこれを表示する。」システムが開示されている。
【先行技術文献】
【特許文献】
【０００７】
【特許文献１】特開２０１４−１５８１１０号公報
【特許文献２】特開２０１５−８００６１号公報
【非特許文献】
【０００８】
【非特許文献１】LUNDBERG, Scott M.; LEE, Su-In. A unified approach to interpreting model predictions. In: Advances in Neural Information Processing Systems. 2017. p. 4768-4777.
【発明の概要】
【発明が解決しようとする課題】
【０００９】
無線通信システムの導入される屋内施設では、建築物固有の構造物が多数存在することから、事前に詳細な構造物の情報を取得することが難しい。そのため、詳細な構造物の情報が得られない場合、特許文献１の技術を用いることができない。
【００１０】
また、特許文献２に記載の技術では、撮影環境及びカメラの性能によって高い画質の画像が取得できない場合、推定精度が低下する。そもそも、画像を取得できない場合、特許文献２に記載の技術を用いることができない。
【００１１】
本発明は、詳細な構造物の情報又は画像を用いることなく、対象空間の電波伝搬特性を推定するシステム及び方法を提供することを目的とする。
【課題を解決するための手段】
【００１２】
本願において開示される発明の代表的な一例を示せば以下の通りである。すなわち、構造データ及びシステムデータを用いた無線通信システムが構築される空間の電波伝搬特性を推定する計算機システムであって、前記構造データは、前記空間の種別及び構造の特性を示すパラメタの値から構成され、前記システムデータは、前記無線通信システムの設計に関する値から構成され、前記計算機システムは、プロセッサ、前記プロセッサに接続される記憶装置、及び前記プロセッサに接続される通信装置を有する少なくとも一つの計算機を備え、前記構造データに含まれるパラメタであって、前記空間の電波伝搬特性の推定結果への寄与が大きい特徴パラメタ、及び前記空間の種別を対応づけたエントリを格納する特徴パラメタ情報を保持し、前記プロセッサは、対象空間の電波伝搬特性の推定要求を受信した場合、前記対象空間の種別を取得し、前記特徴パラメタ情報から前記対象空間の種別に対応するエントリを検索し、前記検索されたエントリに含まれる特徴パラメタの値を推定用構造データとして入力するための第１インタフェースと、推定用システムデータを入力するための第２インタフェースとを提示し、前記推定用構造データ及び前記推定用システムデータを用いて、前記対象空間の電波伝搬特性を推定する。
【発明の効果】
【００１３】
本発明によれば、詳細な構造物の情報又は画像を用いることなく、対象空間の電波伝搬特性を推定できる。上記した以外の課題、構成及び効果は、以下の実施例の説明により明らかにされる。
【図面の簡単な説明】
【００１４】
【図１】実施例１の電波伝搬特性推定システムのシステム構成の一例を示す図である。
【図２】実施例１の電波伝搬特性推定システムの機能構成の一例を示す図である。
【図３】実施例１の索引情報のデータ構造の一例を示す図である。
【図４Ａ】実施例１の構造情報のデータ構造の一例を示す図である。
【図４Ｂ】実施例１の構造情報のデータ構造の一例を示す図である。
【図５】実施例１の特徴パラメタ情報のデータ構造の一例を示す図である。
【図６】実施例１の電波伝搬特性推定装置が実行する特徴パラメタ情報の生成処理を説明するフローチャートである。
【図７】実施例１の電波伝搬特性推定装置が実行する電波伝搬特性推定処理を説明するフローチャートである。
【図８】実施例１の入出力装置によって表示される構造種別入力画面の一例を示す図である。
【図９Ａ】実施例１の入出力装置によって表示される構造データ入力画面の一例を示す図である。
【図９Ｂ】実施例１の入出力装置によって表示される構造データ入力画面の一例を示す図である。
【図９Ｃ】実施例１の入出力装置によって表示される構造データ入力画面の一例を示す図である。
【図９Ｄ】実施例１の入出力装置によって表示される構造データ入力画面の一例を示す図である。
【図１０】実施例１の入出力装置によって表示されるシステムデータ入力画面の一例を示す図である。
【図１１】実施例１の入出力装置によって表示される結果表示画面（受信電力）の一例を示す図である。
【図１２】実施例１の入出力装置によって表示される結果表示画面（伝搬損失）の一例を示す図である。
【図１３】実施例１の入出力装置によって表示される結果表示画面（遅延スプレッド）の一例を示す図である。
【図１４】実施例２の電波伝搬特性推定システムの機能構成の一例を示す図である。
【図１５】実施例２の電波伝搬特性推定装置が実行する電波伝搬特性推定処理を説明するフローチャートである。
【図１６】実施例３の電波伝搬特性推定システムのシステム構成を示す図である。
【図１７】実施例３の電波伝搬特性推定システムの機能構成の一例を示す図である。
【図１８】実施例３の電波伝搬特性推定装置が実行する電波伝搬特性推定処理を説明するフローチャートである。
【図１９】実施例３の電波伝搬特性推定装置が実行するデータベース更新処理を説明するフローチャートである。
【発明を実施するための形態】
【００１５】
以下、本発明の実施例を、図面を用いて説明する。ただし、本発明は以下に示す実施例の記載内容に限定して解釈されるものではない。本発明の思想ないし趣旨から逸脱しない範囲で、その具体的構成を変更し得ることは当業者であれば容易に理解される。
【００１６】
以下に説明する発明の構成において、同一又は類似する構成又は機能には同一の符号を付し、重複する説明は省略する。
【００１７】
本明細書等における「第１」、「第２」、「第３」等の表記は、構成要素を識別するために付するものであり、必ずしも、数又は順序を限定するものではない。
【実施例１】
【００１８】
図１は、実施例１の電波伝搬特性推定システムのシステム構成の一例を示す図である。
【００１９】
電波伝搬特性推定システムは、電波伝搬特性推定装置１００、入出力装置１１０、及びストレージ装置１２０から構成される。
【００２０】
各装置は、ネットワーク１４０を介して接続される。ネットワーク１４０は、例えば、ＬＡＮ（Ｌｏｃａｌ  Ａｒｅａ  Ｎｅｔｗｏｒｋ）及びＷＡＮ（Ｗｉｄｅ  Ａｒｅａ  Ｎｅｔｗｏｒｋ）等である。本発明は、ネットワーク１４０の種別及び接続方式に限定されない。なお、各装置間を接続するネットワークは異なっていてもよい。
【００２１】
電波伝搬特性推定装置１００は、入出力装置１１０から入力された情報及びストレージ装置１２０に格納される情報に基づいて、対象空間の電波伝搬特性を推定する。電波伝搬特性推定装置１００は、ＣＰＵ１０１、通信インタフェース１０２、ＲＯＭ１０３、及びＲＡＭ１０４を有する。各ハードウェアはバスを介して互いに接続される。
【００２２】
ＣＰＵ１０１は、プログラムを実行する演算装置である。ＣＰＵ１０１がプログラムにしたがって処理を実行することによって、特定の機能を実現する機能部（モジュール）として動作する。以下の説明では、機能部を主語に処理を説明する場合、ＣＰＵ１０１が当該機能部を実現するプログラムを実行していることを示す。
【００２３】
通信インタフェース１０２は、ネットワーク１４０を介して他の装置と通信するためのインタフェースである。通信インタフェース１０２は、例えば、ＮＩＣ（Ｎｅｔｗｏｒｋ  Ｉｎｔｅｒｆａｃｅ  Ｃａｒｄ）等から構成される。
【００２４】
ＲＯＭ１０３は、ＣＰＵ１０１が実行するプログラムを格納する記憶デバイスである。実施例１のＲＯＭ１０３は、推定部２００（図２参照）を実現するためのプログラムを格納する。ＲＡＭ１０４は、ワークエリアとして使用される記憶デバイスである。実施例１のＲＡＭ１０４は依頼キュー２１０（図２参照）を含む。
【００２５】
入出力装置１１０は、ユーザの操作に基づいて電波伝搬特性推定装置１００にデータ又は要求を入力し、また、電波伝搬特性推定装置１００から受信されたデータをユーザに対して出力する。入出力装置１１０は、ＣＰＵ１１１、通信インタフェース１１２、ＲＯＭ１１３、ＲＡＭ１１４、入力デバイス１１５、及び出力デバイス１１６を有する。各ハードウェアはバスを介して互いに接続される。
【００２６】
ＣＰＵ１１１、通信インタフェース１１２、ＲＯＭ１１３、及びＲＡＭ１１４は、ＣＰＵ１０１、通信インタフェース１０２、ＲＯＭ１０３、及びＲＡＭ１０４と同一のハードウェアである。実施例１のＲＯＭ１１３は、操作部２２０を実現するためのプログラムを格納する。
【００２７】
入力デバイス１１５は、ユーザがデータ又は要求を入力するためのデバイスであり、例えば、キーボード、マウス、及びタッチパネル等である。出力デバイス１１６は、ユーザに提示する情報を出力するためのデバイスであり、例えば、ディスプレイ及びプリンタ等である。
【００２８】
ストレージ装置１２０は、対象空間の電波伝搬特性を算出するための各種データを格納する。ストレージ装置１２０は、コントローラ１２１、通信インタフェース１２２、及び複数の記憶デバイス１２３を有する。各ハードウェアはバスを介して互いに接続される。
【００２９】
コントローラ１２１は、ストレージ装置１２０全体を制御するハードウェアである。コントローラ１２１はＣＰＵ、ＲＯＭ、及びＲＡＭ等を含む。通信インタフェース１２２は通信インタフェース１０２と同一のものである。記憶デバイス１２３は、データを格納する不揮発性の記憶デバイスであり、例えば、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）等である。
【００３０】
なお、電波伝搬特性推定装置１００、入出力装置１１０、及びストレージ装置１２０は、二つ以上でもよい。また、電波伝搬特性推定装置１００及びストレージ装置１２０は、一つの装置として実現してもよい。また、各装置は、物理的な計算機を用いて実現してもよいし、仮想的な計算機を用いて実現してもよい。
【００３１】
図２は、実施例１の電波伝搬特性推定システムの機能構成の一例を示す図である。
【００３２】
電波伝搬特性推定装置１００は推定部２００及び依頼キュー２１０を有する。
【００３３】
推定部２００は、対象空間の電波伝搬特性を算出するための処理を実行する。推定部２００は、検索部２０１及び解析部２０２を含む。検索部２０１は、ストレージ装置１２０に格納されるデータを検索する。解析部２０２は、入出力装置１１０から入力されたデータ及び検索部２０１によって検索されたデータに基づいて、対象空間の電波伝搬特性を算出するための解析を行う。
【００３４】
依頼キュー２１０は、対象空間の電波伝搬特性の推定要求等を蓄積するキューである。推定部２００は、対象空間の電波伝搬特性を算出した後、又は、周期的に、依頼キュー２１０に対して要求の問合せを行う。
【００３５】
入出力装置１１０は操作部２２０を有する。
【００３６】
操作部２２０は、電波伝搬特性推定装置１００にデータ及び要求を入力するためのインタフェース（画面）を表示し、また、電波伝搬特性推定装置１００によって推定された対象空間の電波伝搬特性に関する情報を提示するインタフェース（画面）を表示する。また、操作部２２０は、インタフェースを介して入力されたデータ及び要求を電波伝搬特性推定装置１００に送信する。
【００３７】
ストレージ装置１２０は、電波伝搬特性ＤＢ２３０及び特徴パラメタ情報２４０を格納する。
【００３８】
電波伝搬特性ＤＢ２３０は、電波伝搬特性の測定結果又は推定結果に関する情報を格納するデータベースである。電波伝搬特性ＤＢ２３０は、索引情報２３１、構造情報２３２、システム情報２３３、及び電波伝搬特性情報２３４を格納する。
【００３９】
索引情報２３１は、構造データ、システムデータ、及び特性データの関連付けを管理するための情報である。索引情報２３１のデータ構造の詳細は図３を用いて説明する。
【００４０】
構造情報２３２は、電波伝搬特性の測定又は推定が行われた空間の構造を示す構造データを管理するための情報である。構造データは、空間の構造の種別及び構造の特性を示すパラメタの値から構成される。空間の構造の種別は、構造データの値として含めてもよいし、名称等のメタデータとして含めることができる。構造情報２３２のデータ構造の詳細は図４Ａ及び図４Ｂを用いて説明する。
【００４１】
システム情報２３３は、電波伝搬特性の測定又は推定が行われた空間における無線通信システムの設計に関する値から構成されるシステムデータを管理するための情報である。システムデータは、例えば、周波数、出力電力、偏波、アンテナ特性、送信機の位置、及び受信機の位置等を含む。
【００４２】
電波伝搬特性情報２３４は、電波伝搬特性の測定結果又は推定結果等、任意の空間の電波伝搬特性を示す特性データを管理するための情報である。特性データは、受信機の受信電力、伝搬損失、及び遅延スプレッド等に関するデータを含む。
【００４３】
特徴パラメタ情報２４０は、空間の構造の種別及び電波伝搬特性の算出時に入力する構造のパラメタの関連付けを管理するための情報である。特徴パラメタ情報２４０のデータ構造の詳細は図５を用いて説明する。
【００４４】
なお、各装置が有する機能部については、複数の機能部を一つの機能部にまとめてもよいし、一つの機能部を機能毎に複数の機能部に分けてもよい。また、各機能部は、分散するように複数の装置に配置されてもよい。
【００４５】
図３は、実施例１の索引情報２３１のデータ構造の一例を示す図である。
【００４６】
索引情報２３１は、ＩＤ３０１、構造データパス３０２、システムデータパス３０３、及び特性データパス３０４から構成されるエントリを格納する。
【００４７】
ＩＤ３０１は、索引情報２３１のエントリの識別情報を格納するフィールドである。構造データパス３０２は、構造情報２３２に格納される構造データのパスを格納するフィールドである。システムデータパス３０３は、システム情報２３３に格納されるシステムデータのパスを格納するフィールドである。特性データパス３０４は、電波伝搬特性情報２３４に格納される特性データのパスを格納するフィールドである。
【００４８】
構造データパス３０２、システムデータパス３０３、及び特性データパス３０４には、例えば、ファイル名が格納される。実施例１では、構造データパス３０２に格納されるファイル名には、構造種別を示す文字列が含まれるものとする。
【００４９】
以下の説明では、索引情報２３１のエントリを索引データとも記載する。
【００５０】
図４Ａ及び図４Ｂは、実施例１の構造情報２３２のデータ構造の一例を示す図である。
【００５１】
実施例１では、構造の種別毎に構造情報２３２を格納する。例えば、トンネルの構造情報２３２及びエレベータの構造情報２３２が格納される。
【００５２】
図４Ａは、形状が直線であるトンネルの構造を管理するためのマトリクス型の構造情報２３２を示す。図４Ｂは、カーブを有するトンネルの構造を管理するためのマトリクス型の構造情報２３２を示す。一つの列が一つの構造データに対応する。構造データは、トンネルの断面形状、長さ、幅、高さ、半径、全体の形状等の各種パラメタの値を含む。ここで、「Ｒ」はカーブの角度を表し、「Ｄｉｖ」は、電波伝搬特性の推定において円を表現するために用いる平面の数を表す。なお、構造データに含まれるパラメタは一例であってこれに限定されない。
【００５３】
図５は、実施例１の特徴パラメタ情報２４０のデータ構造の一例を示す図である。
【００５４】
特徴パラメタ情報２４０は、ＩＤ５０１、構造種別５０２、及び特徴パラメタ５０３から構成されるエントリを含む。構造の種別毎に一つのエントリが存在する。
【００５５】
ＩＤ５０１は、特徴パラメタ情報２４０のエントリの識別情報を格納するフィールドである。構造種別５０２は、構造種別を格納するフィールドである。及び特徴パラメタ５０３は、電波伝搬特性を算出するために入力する構造データのパラメタを格納するフィールド群である。構造の種別に応じて、入力するパラメタの数及び種別が異なる。
【００５６】
以下の説明では、特徴パラメタ５０３に設定されるパラメタを特徴パラメタとも記載する。
【００５７】
次に、電波伝搬特性推定システムにおいて実行される処理について説明する。
【００５８】
図６は、実施例１の電波伝搬特性推定装置１００が実行する特徴パラメタ情報２４０の生成処理を説明するフローチャートである。
【００５９】
解析部２０２は、任意のタイミングで、以下で説明する特徴パラメタ情報２４０の生成処理を実行する。例えば、入出力装置１１０から特徴パラメタ情報２４０の生成要求若しくは推定要求を受信した場合、又は、実行周期が経過した場合、解析部２０２は特徴パラメタ情報２４０の生成処理を実行する。
【００６０】
解析部２０２は、特徴パラメタ情報２４０を初期化する（ステップＳ１０１）。次に、解析部２０２は、構造種別（ターゲット構造種別）を選択し、ターゲット構造種別に属する構造データに関連する索引データを取得する（ステップＳ１０２）。
【００６１】
具体的には、解析部２０２は、構造情報２３２を参照して構造種別のリストを生成し、当該リストの中からターゲット構造種別を選択する。解析部２０２は、索引情報２３１を参照し、構造データパス３０２にターゲット構造種別に関する文字列を含むエントリを特定する。解析部２０２は、特定されたエントリの構造データパス３０２、システムデータパス３０３、及び特性データパス３０４に基づいて、電波伝搬特性ＤＢ２３０から構造データ、システムデータ、及び特性データを取得する。
【００６２】
次に、解析部２０２は、取得された構造データ、システムデータ、及び特性データを用いて特徴パラメタ解析処理を実行する（ステップＳ１０３）。具体的には、以下のような処理が実行される。
【００６３】
（処理Ａ１）解析部２０２は、構造データ、システムデータ、及び特性データを用いた機械学習を実行することによって、構造データ及びシステムデータから特性データを算出するための予測器を生成する。さらに、解析部２０２は、予測器を用いて、空間の電波伝搬特性の推定における構造データの各パラメタの値の寄与の大きさを示す影響度を算出する。影響度は、例えば、非特許文献１に記載の算出方法を用いて算出される。
【００６４】
（処理Ａ２）解析部２０２は、影響度の大きさが閾値より大きいパラメタを特徴パラメタとして特定する。
【００６５】
なお、（処理１）及び（処理２）の代わりに以下のような処理が実行されてもよい。
【００６６】
（処理Ｂ１）解析部２０２は、構造データ、システムデータ、及び特性データを用いた解析処理を実行することによって、構造データ及びシステムデータのパラメタを説明変数とし、特性データのパラメタを説明変数とするシミュレーションモデル（関数）を生成する。
【００６７】
（処理Ｂ２）解析部２０２は、構造データのパラメタに対応する変数の係数と閾値とを比較し、係数が閾値より大きいパラメタを特徴パラメタとして特定する。
【００６８】
以上がステップＳ１０３の処理の説明である。
【００６９】
次に、解析部２０２は、特徴パラメタ情報２４０を更新する（ステップＳ１０４）。
【００７０】
具体的には、解析部２０２は、特徴パラメタ情報２４０にエントリを追加し、追加されたエントリのＩＤ５０１に識別情報を設定し、また、当該エントリの構造種別５０２にターゲット構造種別を設定する。解析部２０２は、特徴パラメタ５０３に特徴パラメタ解析処理において特定された特徴パラメタの名称を設定する。このとき、特徴パラメタの名称は、影響度又は係数の大きい順に設定される。
【００７１】
次に、解析部２０２は、全ての構造種別について処理が完了したか否かを判定する（ステップＳ１０５）。
【００７２】
全ての構造種別について処理が完了していないと判定された場合、解析部２０２は、ステップＳ１０２に戻り、同様の処理を実行する。
【００７３】
全ての構造種別について処理が完了したと判定された場合、解析部２０２は、特徴パラメタ情報２４０の生成処理を終了する。
【００７４】
図７は、実施例１の電波伝搬特性推定装置１００が実行する電波伝搬特性推定処理を説明するフローチャートである。図８は、実施例１の入出力装置１１０によって表示される構造種別入力画面８００の一例を示す図である。図９Ａ、図９Ｂ、図９Ｃ、及び図９Ｄは、実施例１の入出力装置１１０によって表示される構造データ入力画面９００の一例を示す図である。図１０は、実施例１の入出力装置１１０によって表示されるシステムデータ入力画面１０００の一例を示す図である。図１１は、実施例１の入出力装置１１０によって表示される結果表示画面（受信電力）１１００の一例を示す図である。図１２は、実施例１の入出力装置１１０によって表示される結果表示画面（伝搬損失）１２００の一例を示す図である。図１３は、実施例１の入出力装置１１０によって表示される結果表示画面（遅延スプレッド）１３００の一例を示す図である。
【００７５】
電波伝搬特性推定装置１００は、入出力装置１１０から推定要求を受信する（ステップＳ２０１）。推定要求は依頼キュー２１０に蓄積される。推定要求には入出力装置１１０のアドレス等が含まれる。
【００７６】
推定部２００は、依頼キュー２１０から推定要求を取得した場合、入出力装置１１０から構造種別を取得する（ステップＳ２０２）。
【００７７】
具体的には、推定部２００は、構造種別入力画面８００を表示するための第１表示情報を生成し、第１表示情報を入出力装置１１０に送信する。
【００７８】
入出力装置１１０の操作部２２０は、第１表示情報を受信した場合、図８に示す構造種別入力画面８００を表示する。
【００７９】
構造種別入力画面８００は、構造種別入力欄８０１及び確定ボタン８０２を含む。構造種別入力欄８０１は構造種別を入力する欄である。構造種別入力欄８０１には、「トンネル（直線）」、「トンネル（カーブ）」、「エレベータ（長方形）」、「エレベータ（円）」等が入力される。確定ボタン８０２は、構造種別入力欄８０１に設定した値を電波伝搬特性推定装置１００に送信するための操作ボタンである。
【００８０】
次に、推定部２００は、構造データ及びシステムデータを取得するための入力画面の表示情報を生成する（ステップＳ２０３）。具体的には、以下のような処理が実行される。
【００８１】
（処理Ｃ１）推定部２００の検索部２０１は、特徴パラメタ情報２４０を参照し、構造種別５０２に、取得した構造種別が設定されるエントリを検索する。推定部２００は、検索されたエントリの特徴パラメタ５０３を参照し、特徴パラメタを特定する。推定部２００は、特定された特徴パラメタの値を入力するための構造データ入力画面９００を表示するための第２表示情報を生成する。推定部２００は、第２表示情報を入出力装置１１０に送信する。
【００８２】
入出力装置１１０の操作部２２０は、第２表示情報を受信した場合、構造データ入力画面９００を表示する。ここで、図９Ａ、図９Ｂ、図９Ｃ、及び図９Ｄを用いて構造データ入力画面９００について説明する。
【００８３】
図９Ａは、構造種別が「トンネル（直線）」である場合に表示される構造データ入力画面９００を示す。構造データ入力画面９００は、確定ボタン９０１、断面形状入力欄９０２、幅入力欄９０３、高さ入力欄９０４、及び長さ入力欄９０５を含む。
【００８４】
断面形状入力欄９０２は、トンネルの断面形状を入力する欄である。断面形状入力欄９０２には「長方形」及び「円」等が入力される。幅入力欄９０３は、トンネルの断面の幅を入力する欄である。高さ入力欄９０４は、トンネルの断面の高さを入力する欄である。長さ入力欄９０５は、トンネルの全長を入力する欄である。確定ボタン９０１は、各欄の値を電波伝搬特性推定装置１００に送信するための操作ボタンである。
【００８５】
図９Ｂは、構造種別が「トンネル（カーブ）」である場合に表示される構造データ入力画面９００を示す。構造データ入力画面９００は、確定ボタン９０１、断面形状入力欄９０２、幅入力欄９０３、高さ入力欄９０４、半径入力欄９０６、及び角度入力欄９０７を含む。
【００８６】
半径入力欄９０６及び角度入力欄９０７は、カーブの形状を示す半径及び角度を入力する欄である。
【００８７】
図９Ｃは、構造種別が「エレベータ（立方体）」である場合に表示される構造データ入力画面９００を示す。構造データ入力画面９００は、確定ボタン９０１、幅入力欄９１１、奥行き入力欄９１２、及び高さ入力欄９１３を含む。
【００８８】
幅入力欄９１１は、エレベータの幅を入力する欄である。奥行き入力欄９１２は、エレベータの奥行きを入力する欄である。高さ入力欄９１３は、エレベータの高さを入力する欄である。
【００８９】
図９Ｄは、構造種別が「エレベータ（円柱）」である場合に表示される構造データ入力画面９００を示す。構造データ入力画面９００は、確定ボタン９０１、半径入力欄９１４、及び高さ入力欄９１３を含む。
【００９０】
半径入力欄９１４は、円柱型のエレベータの半径を入力する欄である。
【００９１】
以上が構造データ入力画面９００の説明である。ステップＳ２０３の説明に戻る。
【００９２】
（処理Ｃ２）推定部２００は、システムデータを入力するためのシステムデータ入力画面１０００を表示するための第３表示情報を生成する。推定部２００は、第３表示情報を入出力装置１１０に送信する。
【００９３】
入出力装置１１０の操作部２２０は、第３表示情報を受信した場合、システムデータ入力画面１０００を表示する。ここで、図１０を用いてシステムデータ入力画面１０００について説明する。
【００９４】
システムデータ入力画面１０００は、周波数入力欄１００１、出力電力入力欄１００２、偏波入力欄１００３、アンテナ入力欄１００４、Ｔｘ座標選択欄１００５、Ｔｘ座標入力欄１００６、追加ボタン１００７、Ｒｘ座標選択欄１００８、Ｒｘ座標入力欄１００９、追加ボタン１０１０、及び確定ボタン１０１１を含む。
【００９５】
周波数入力欄１００１は、無線の周波数を入力する欄である。出力電力入力欄１００２は、出力電力を入力する欄である。偏波入力欄１００３は、送信方式を入力する欄であり、「水平偏波」及び「垂直偏波」のいずれかが入力される。
【００９６】
アンテナ入力欄１００４は、使用するアンテナの種別を入力する欄である。アンテナ入力欄１００４にはダイポールアンテナ、ポールアンテナ等が入力される。なお、アンテナ入力欄１００４の代わりに、アンテナの角度毎の利得を示すアンテナ特性の情報等を入力する欄を設けてもよい。
【００９７】
Ｔｘ座標選択欄１００５は、送信アンテナの座標の設定方式を選択する欄である。Ｔｘ座標選択欄１００５には「手動」及び「ファイル」のいずれかが入力される。「手動」は、ユーザが手動で座標を設定する方式であり、「ファイル」は設定ファイルを用いて座標を設定する方式である。
【００９８】
Ｔｘ座標入力欄１００６及び追加ボタン１００７は、Ｔｘ座標選択欄１００５が「手動」である場合に表示される欄である。Ｔｘ座標入力欄１００６は、送信アンテナの座標を入力する欄である。追加ボタン１００７は、送信アンテナの座標を追加するための操作ボタンである。追加ボタン１００７が操作された場合、システムデータ入力画面１０００に新たなＴｘ座標入力欄１００６が追加される。
【００９９】
なお、Ｔｘ座標選択欄１００５が「ファイル」の場合、Ｔｘ座標入力欄１００６及び追加ボタン１００７の代わりに、ファイル指定欄が表示される。
【０１００】
Ｒｘ座標選択欄１００８は、受信アンテナの座標の設定方式を選択する欄である。Ｒｘ座標選択欄１００８には「手動」及び「ファイル」のいずれかが入力される。
【０１０１】
Ｒｘ座標入力欄１００９及び追加ボタン１０１０は、Ｒｘ座標選択欄１００８が「手動」である場合に表示される欄である。Ｒｘ座標入力欄１００９は、受信アンテナの座標を入力する欄である。追加ボタン１０１０は、受信アンテナの座標を追加するための操作ボタンである。追加ボタン１０１０が操作された場合、システムデータ入力画面１０００に新たなＲｘ座標入力欄１００９が追加される。
【０１０２】
なお、Ｒｘ座標選択欄１００８が「ファイル」の場合、Ｒｘ座標入力欄１００９及び追加ボタン１０１０の代わりに、ファイル指定欄が表示される。
【０１０３】
確定ボタン１０１１は、各欄の値を電波伝搬特性推定装置１００に送信するための操作ボタンである。
【０１０４】
以上がシステムデータ入力画面１０００の説明である。ステップＳ２０３の説明に戻る。
【０１０５】
（処理Ｃ３）推定部２００は、第２表示情報及び第３表示情報を入出力装置１１０に送信した後、待ち状態に移行する。以下の説明では、構造データ入力画面９００を介して入力されたデータを推定用構造データと記載し、システムデータ入力画面１０００を介して入力されたデータを推定用システムデータと記載する。
【０１０６】
ユーザは、構造データ入力画面９００を参照することによって、電波伝搬特性を算出するために必要なパラメタを把握できる。実施例１では、詳細な構造データを入力しなくてもよい。また、ユーザは、構造データ入力画面９００に表示されるパラメタに基づいて効率的な対象空間の構造の計測が可能となる。以上がステップＳ２０３の処理の説明である。
【０１０７】
次に、推定部２００は、推定用構造データ及び推定用システムデータを取得した場合（ステップＳ２０４）、取得したデータに基づいて検索処理を実行する（ステップＳ２０５）。具体的には、以下のような処理が実行される。
【０１０８】
（処理Ｄ１）検索部２０１は、構造情報２３２を参照し、ステップＳ２０２において取得された構造種別に対応する構造データを取得する。検索部２０１は、索引情報２３１の構造データパス３０２を参照し、取得された構造データの識別情報が設定されたエントリ（索引データ）を検索する。検索部２０１は、検索されたエントリのシステムデータパス３０３に基づいて、システム情報２３３から構造データ及びシステムデータを取得する。
【０１０９】
（処理Ｄ２）解析部２０２は、推定用構造データ及び取得された構造データの間の類似性を示す第１指標を算出し、推定用システムデータ及び取得されたシステムデータの間の類似性を示す第２指標を算出する。
【０１１０】
例えば、推定用構造データから生成されるベクトルと、取得された構造データから生成されるベクトルとの間の距離が第１指標として算出される。なお、推定用構造データから生成されるベクトルは、推定用構造データに含まれる特徴パラメタの値を要素とする。また、構造データから生成されるベクトルは、構造データにおける特徴パラメタの値を要素とする。
【０１１１】
（処理Ｄ３）解析部２０２は、第１指標及び第１閾値の比較結果、並びに、第２指標及び第２閾値の比較結果に基づいて、検索されたエントリの中から候補エントリを選択する。例えば、第１指標が第１閾値より大きく、かつ、第２指標が第２閾値より大きいエントリが、候補エントリとして選択される。なお、第１閾値及び第２閾値は予め設定されているものとする。
【０１１２】
（処理Ｄ４）解析部２０２は、各候補エントリについて、第１指標及び第１閾値の差、並びに、第２指標及び第２閾値の差の合計値を算出する。解析部２０２は、合計値が最も小さい候補エントリを推定用エントリとして選択する。
【０１１３】
（処理Ｄ５）解析部２０２は、推定用エントリの特性データパス３０４に基づいて、電波伝搬特性情報２３４から特性データを取得する。
【０１１４】
以上で説明したように、検索処理では、推定部２００は、構造データ及びシステムデータが、推定用構造データ及び推定用システムデータと最も類似する構造データ及びシステムデータの組と関連付けられる特性データを取得する。（処理Ｄ１）から（処理Ｄ５）は、前述の処理の一例であってこれに限定されない。
【０１１５】
以上がステップＳ２０５の処理の説明である。
【０１１６】
次に、推定部２００は、検索処理よって取得された特性データを用いて、電波伝搬特性の推定結果を示す結果表示画面１１００、１２００、１３００を表示するための第４表示情報を生成する（ステップＳ２０６）。推定部２００は、第４表示情報を入出力装置１１０に送信した後、電波伝搬特性推定処理を終了する。
【０１１７】
入出力装置１１０の操作部２２０は、第４表示情報を受信した場合、結果表示画面１１００、１２００、１３００を表示する。ここで、図１１、図１２、及び図１３を用いて結果表示画面１１００、１２００、１３００について説明する。
【０１１８】
図１１は、受信アンテナの受信電力に関する情報を表示する結果表示画面１１００である。結果表示画面１１００は、構造表示欄１１１０、Ｔｘ選択欄１１２０、受信電力表示欄１１３０、及び出力ボタン１１４０を含む。
【０１１９】
構造表示欄１１１０は、対象空間の構造及び対象空間に構築される通信システムの構成を示す図である。構造表示欄１１１０に表示される図は、推定用構造データ及び推定用システムデータに基づいて生成される。図１１の構造表示欄１１１０には、カーブを有するトンネルの構造が表示される。また、図１１の構造表示欄１１１０には、送信アンテナ及び受信アンテナの設置位置が表示される。
【０１２０】
Ｔｘ選択欄１１２０は、送信アンテナを選択する欄である。
【０１２１】
受信電力表示欄１１３０は、Ｔｘ選択欄１１２０を用いて選択された送信アンテナが送信した電波を受信した受信アンテナの受信電力を表示する欄である。受信電力表示欄１１３０には、テーブル形式の情報が表示される。当該情報は、受信点１１３１及び受信電力１１３２から構成されるエントリを含む。受信点１１３１は受信アンテナの識別情報を格納するフィールドである。受信電力１１３２は、受信点１１３１に対応する受信アンテナの受信電力を格納するフィールドである。
【０１２２】
出力ボタン１１４０は、データを取得するための操作ボタンである。出力ボタン１１４０が操作された場合、入出力装置１１０は、出力要求を電波伝搬特性推定装置１００に送信する。電波伝搬特性推定装置１００の推定部２００は、出力要求を受信した場合、受信電力表示欄１１３０に表示された情報等を含む出力データを生成し、出力データを入出力装置１１０に送信する。
【０１２３】
図１２は、伝搬損失に関する情報を表示する結果表示画面１２００である。結果表示画面１２００は、偏波選択欄１２１０、グラフ表示欄１２２０、変化点情報欄１２３０、減衰定数情報欄１２４０、及び出力ボタン１２５０を含む。
【０１２４】
偏波選択欄１２１０は、偏波の種類を選択する欄である。実施例１では「垂直偏波」及び「水平偏波」のいずれかが選択される。グラフ表示欄１２２０、変化点情報欄１２３０、及び減衰定数情報欄１２４０には、偏波選択欄１２１０に入力された偏波に対応した情報が表示される。
【０１２５】
グラフ表示欄１２２０は、距離及び伝搬損失の関係を示すグラフを表示する欄である。グラフ表示欄１２２０に表示されるグラフの縦軸は伝搬損失を表し、横軸は送信アンテナからの距離を表す。また、グラフには、減衰乗数が大きく変化する点（変化点）を示す情報が含まれる。
【０１２６】
変化点情報欄１２３０は、変化点に関する情報を表示する欄である。変化点情報欄１２３０には、テーブル形式の情報が表示される。当該情報は、変化点１２３１及び距離１２３２から構成されるエントリを含む。変化点１２３１は、変化点の名称等の識別情報を格納するフィールドである。距離１２３２は、送信アンテナからの距離を格納するフィールドである。
【０１２７】
減衰定数情報欄１２４０は、減衰定数に関する情報を表示する欄である。減衰定数情報欄１２４０には、テーブル形式の情報が表示される。当該情報は、範囲１２４１及び減衰定数１２４２から構成されるエントリを含む。範囲１２４１は、減衰定数が一定の範囲を示す情報を格納するフィールドである。減衰定数１２４２は、範囲１２４１における減衰定数を格納するフィールドである。
【０１２８】
出力ボタン１２５０は、データを取得するための操作ボタンである。出力ボタン１２５０が操作された場合、入出力装置１１０は、出力要求を電波伝搬特性推定装置１００に送信する。電波伝搬特性推定装置１００の推定部２００は、出力要求を受信した場合、変化点情報欄１２３０及び減衰定数情報欄１２４０に表示された情報等を含む出力データを生成し、出力データを入出力装置１１０に送信する。
【０１２９】
図１３は、遅延スプレッドに関する情報を表示する結果表示画面１３００である。結果表示画面１３００は、偏波選択欄１３１０、グラフ表示欄１３２０、遅延スプレッド情報表示欄１３３０、及び出力ボタン１３４０を含む。
【０１３０】
偏波選択欄１３１０は、偏波選択欄１２１０と同一の欄である。グラフ表示欄１３２０及び遅延スプレッド情報表示欄１３３０には、偏波選択欄１３１０に入力された偏波に対応した情報が表示される。
【０１３１】
グラフ表示欄１３２０は、距離及び遅延スプレッドの関係を示すグラフを表示する欄である。グラフ表示欄１３２０に表示されるグラフの縦軸は遅延スプレッドを表し、横軸は送信アンテナからの距離を表す。
【０１３２】
遅延スプレッド情報表示欄１３３０は、任意の距離における遅延スプレッドを表示する欄である。遅延スプレッド情報表示欄１３３０には、テーブル形式の情報が表示される。当該情報は、距離１３３１及び遅延スプレッド１３３２から構成されるエントリを含む。距離１３３１は、送信アンテナからの距離を格納するフィールドである。遅延スプレッド１３３２は、距離１３３１に対応する位置における遅延スプレッドを格納するフィールドである。
【０１３３】
出力ボタン１３４０は、データを取得するための操作ボタンである。出力ボタン１３４０が操作された場合、入出力装置１１０は、出力要求を電波伝搬特性推定装置１００に送信する。電波伝搬特性推定装置１００の推定部２００は、出力要求を受信した場合、遅延スプレッド情報表示欄１３３０に表示された情報等を含む出力データを生成し、出力データを入出力装置１１０に送信する。
【０１３４】
電波伝搬特性推定処理では、推定部２００は、取得した特性データをそのまま出力していたがこれに限定されない。例えば、推定部２００は、第１指標予備第１閾値の差並びに第２指標及び第２閾値の差に基づいて、取得した特性データを補正してもよい。
【０１３５】
実施例１によれば、電波伝搬特性推定装置１００は、対象空間の大まかな構造を入力するための画面（構造データ入力画面９００）を提示し、当該画面を介して入力された構造データに基づいて、電波伝搬特性の計測結果又は推定結果の検索し、電波伝搬特性の推定結果として検索された情報を提示できる。
【０１３６】
特性データへの影響が大きいパラメタを用いた検索を行うことによって、推定精度を維持しつつ、高速に、推定結果を出力することができる。また、詳細な構造データを入力する必要がないため、推定に要するユーザの負担を低減できる。
【０１３７】
また、ユーザは、構造データ入力画面９００を参照することによって、対象空間の電波伝搬特性を推定するために計測するパラメタを把握できる。これによって、構造データの取得に要するユーザの負担を低減することができる。
【実施例２】
【０１３８】
実施例２は、電波伝搬特性の算出方法が異なる。以下、実施例１との差異を中心に実施例２について説明する。
【０１３９】
実施例２の電波伝搬特性推定システムのシステム構成は実施例１と同一であるため説明を省略する。実施例２では、電波伝搬特性推定システムの機能構成が一部異なる。図１４は、実施例２の電波伝搬特性推定システムの機能構成の一例を示す図である。
【０１４０】
実施例２の電波伝搬特性推定装置１００は、構造種別毎にモデル情報１４００を保持する。その他の機能構成は実施例１と同一である。
【０１４１】
モデル情報１４００は、推定用構造データ及び推定用システムデータから特性データを算出するための予測器又はシミュレータを実現するための情報である。
【０１４２】
実施例２では、特徴パラメタ情報２４０の生成処理が一部異なる。具体的には、解析部２０２は、特徴パラメタ解析処理において、生成された予測器又はシミュレータを定義するモデル情報１４００を保存する。その他の処理は実施例１と同一である。
【０１４３】
図１５は、実施例２の電波伝搬特性推定装置１００が実行する電波伝搬特性推定処理を説明するフローチャートである。
【０１４４】
ステップＳ２０１からステップＳ２０４までの処理は実施例１と同一である。推定部２００は、ステップＳ２０４の処理の後、算出処理を実行する（ステップＳ２１１）。
【０１４５】
具体的には、解析部２０２は、ステップＳ２０２において取得された構造種別に対応するモデル情報１４００を取得する。解析部２０２は、モデル情報１４００に基づいて、推定用構造データ及び推定用システムデータを処理することによって特性データを算出する。
【０１４６】
ステップＳ２０６では、解析部２０２は、算出された特性データを用いて第４表示情報を生成する。
【０１４７】
実施例２によれば、電波伝搬特性ＤＢ２３０に推定用構造データ及び推定用システムデータの組合せと類似する構造データ及びシステムデータの組合せが存在しない場合でも、対象空間の電波伝搬特性を推定することができる。
【実施例３】
【０１４８】
実施例３は、電波伝搬特性推定装置１００が電波伝搬特性ＤＢ２３０を更新する。以下、実施例１との差異を中心に実施例３について説明する。
【０１４９】
図１６は、実施例３の電波伝搬特性推定システムのシステム構成を示す図である。
【０１５０】
実施例３の電波伝搬特性推定システムは、測定装置１６００を含む。その他の装置は実施例１と同一である。
【０１５１】
測定装置１６００は、電波伝搬特性に関する測定を行う装置である。測定装置１６００は、ＣＰＵ１６０１、通信インタフェース１６０２、ＲＯＭ１６０３、及びＲＡＭ１６０４を有する。各ハードウェアはバスを介して互いに接続される。ＣＰＵ１６０１、通信インタフェース１６０２、ＲＯＭ１６０３、及びＲＡＭ１６０４は、ＣＰＵ１０１、通信インタフェース１０２、ＲＯＭ１０３、及びＲＡＭ１０４と同一のハードウェアである。ＲＯＭ１６０３は、測定部１７１０（図１７参照）を実現するためのプログラムを格納する。
【０１５２】
図１７は、実施例３の電波伝搬特性推定システムの機能構成の一例を示す図である。
【０１５３】
実施例３では、推定部２００が更新部１７００を含む。また、測定装置１６００は、測定部１７１０を含む。その他の構成は実施例１と同一である。
【０１５４】
更新部１７００は電波伝搬特性ＤＢ２３０を更新する。電波伝搬特性ＤＢ２３０は、電波伝搬特性推定処理が実行された時、又は、測定装置１６００から更新要求を受信した時に更新される。
【０１５５】
測定部１７１０は、電波伝搬特性に関する測定を行って、特性データを生成する。測定部１７１０には、予め、構造データ及びシステムデータが入力されている。測定部１７１０は、測定が完了した場合、構造データ、システムデータ、及び特性データを含む更新要求を電波伝搬特性推定装置１００に送信する。
【０１５６】
図１８は、実施例３の電波伝搬特性推定装置１００が実行する電波伝搬特性推定処理を説明するフローチャートである。
【０１５７】
ステップＳ２０１からステップＳ２０６の処理は実施例１と同一である。推定部２００は、ステップＳ２０６の処理の後、電波伝搬特性ＤＢ２３０を更新し（ステップＳ２２１）、その後、電波伝搬特性推定処理を終了する。具体的には、以下のような処理が実行される。
【０１５８】
（処理Ｅ１）更新部１７００は、索引情報２３１にエントリを追加し、追加されたエントリのＩＤ３０１に識別情報を設定する。更新部１７００は、追加されたエントリの構造データパス３０２に推定用構造データの名称を設定し、システムデータパス３０３に推定用システムデータの名称を設定し、特性データパス３０４に検索処理よって取得された特性データの名称を設定する。
【０１５９】
（処理Ｅ２）更新部１７００は、構造情報２３２に推定用構造データを格納し、システム情報２３３に推定用システムデータを格納する。更新部１７００は、電波伝搬特性情報２３４に、検索処理よって取得された特性データを格納する。
【０１６０】
なお、推定用構造データ及び推定用システムデータに対応する索引データが電波伝搬特性ＤＢ２３０に存在する場合には、更新部１７００は、索引データが示す特性データと、新たな特性データとの平均値を算出し、算出結果を既存の特性データに上書きする。この場合、索引情報２３１、構造情報２３２、及びシステム情報２３３は更新されない。以上がステップＳ２２１の処理の説明である。
【０１６１】
図１９は、実施例３の電波伝搬特性推定装置１００が実行するデータベース更新処理を説明するフローチャートである。
【０１６２】
電波伝搬特性推定装置１００は、測定装置１６００から更新要求を受信する（ステップＳ３０１）。受信した更新要求は依頼キュー２１０に蓄積される。
【０１６３】
推定部２００の更新部１７００は、更新要求に含まれる構造データ、システムデータ、及び特性データに基づいて、電波伝搬特性ＤＢ２３０を更新する（ステップＳ３０２）。
具体的には、以下のような処理が実行される。
【０１６４】
（処理Ｆ１）更新部１７００は、索引情報２３１にエントリを追加し、追加されたエントリのＩＤ３０１に識別情報を設定する。更新部１７００は、追加されたエントリの構造データパス３０２に推定用構造データの名称を設定し、システムデータパス３０３に推定用システムデータの名称を設定し、特性データパス３０４に特性データの名称を設定する。
【０１６５】
（処理Ｆ２）更新部１７００は、構造情報２３２に構造データを格納し、システム情報２３３にシステムデータを格納し、電波伝搬特性情報２３４にデータを格納する。
【０１６６】
なお、推定用構造データ及び推定用システムデータに対応する索引データが電波伝搬特性ＤＢ２３０に存在する場合には、更新部１７００は、索引データが示す特性データと、新たな特性データとの平均値を算出し、算出結果を既存の特性データに上書きする。この場合、索引情報２３１、構造情報２３２、及びシステム情報２３３は更新されない。以上がステップＳ３０２の処理の説明である。
【０１６７】
実施例３によれば、電波伝搬特性ＤＢ２３０を更新することができる。これによって、特徴パラメタ情報２４０を生成するために解析するデータ量の不足を解消することができる。
【０１６８】
なお、電波伝搬特性推定装置１００が更新部１７００を有していたが、電波伝搬特性推定装置１００以外の装置が更新部１７００を有してもよい。例えば、電波伝搬特性推定システムに更新装置を設けることが考えられる。
【０１６９】
なお、本発明は上記した実施例に限定されるものではなく、様々な変形例が含まれる。また、例えば、上記した実施例は本発明を分かりやすく説明するために構成を詳細に説明したものであり、必ずしも説明した全ての構成を備えるものに限定されるものではない。また、各実施例の構成の一部について、他の構成に追加、削除、置換することが可能である。
【０１７０】
また、上記の各構成、機能、処理部、処理手段等は、それらの一部又は全部を、例えば集積回路で設計する等によりハードウェアで実現してもよい。また、本発明は、実施例の機能を実現するソフトウェアのプログラムコードによっても実現できる。この場合、プログラムコードを記録した記憶媒体をコンピュータに提供し、そのコンピュータが備えるプロセッサが記憶媒体に格納されたプログラムコードを読み出す。この場合、記憶媒体から読み出されたプログラムコード自体が前述した実施例の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、ＳＳＤ（Ｓｏｌｉｄ  Ｓｔａｔｅ  Ｄｒｉｖｅ）、光ディスク、光磁気ディスク、ＣＤ−Ｒ、磁気テープ、不揮発性のメモリカード、ＲＯＭなどが用いられる。
【０１７１】
また、本実施例に記載の機能を実現するプログラムコードは、例えば、アセンブラ、Ｃ／Ｃ＋＋、ｐｅｒｌ、Ｓｈｅｌｌ、ＰＨＰ、Ｐｙｔｈｏｎ、Ｊａｖａ（登録商標）等の広範囲のプログラム又はスクリプト言語で実装できる。
【０１７２】
さらに、実施例の機能を実現するソフトウェアのプログラムコードを、ネットワークを介して配信することによって、それをコンピュータのハードディスクやメモリ等の記憶手段又はＣＤ−ＲＷ、ＣＤ−Ｒ等の記憶媒体に格納し、コンピュータが備えるプロセッサが当該記憶手段や当該記憶媒体に格納されたプログラムコードを読み出して実行するようにしてもよい。
【０１７３】
上述の実施例において、制御線や情報線は、説明上必要と考えられるものを示しており、製品上必ずしも全ての制御線や情報線を示しているとは限らない。全ての構成が相互に接続されていてもよい。
【符号の説明】
【０１７４】
１００  電波伝搬特性推定装置
１１０  入出力装置
１２０  ストレージ装置
１４０  ネットワーク
１６００  測定装置
１０１、１１１、１６０１  ＣＰＵ
１０２、１１２、１２２、１６０２  通信インタフェース
１０３、１１３、１６０３  ＲＯＭ
１０４、１１４、１６０４  ＲＡＭ
１１５  入力デバイス
１１６  出力デバイス
１２１  コントローラ
１２３  記憶デバイス
２００  推定部
２０１  検索部
２０２  解析部
２１０  依頼キュー
２２０  操作部
１７００  更新部
１７１０  測定部
２３０  電波伝搬特性ＤＢ
２３１  索引情報
２３２  構造情報
２３３  システム情報
２３４  電波伝搬特性情報
２４０  特徴パラメタ情報
１４００  モデル情報
８００  構造種別入力画面
９００  構造データ入力画面
１０００  システムデータ入力画面
１１００、１２００、１３００  結果表示画面
【図１】
2020120180.tif 000003
【図２】
2020120180.tif 000004
【図３】
2020120180.tif 000005
【図４Ａ】
2020120180.tif 000006
【図４Ｂ】
2020120180.tif 000007
【図５】
2020120180.tif 000008
【図６】
2020120180.tif 000009
【図７】
2020120180.tif 000010
【図８】
2020120180.tif 000011
【図９Ａ】
2020120180.tif 000012
【図９Ｂ】
2020120180.tif 000013
【図９Ｃ】
2020120180.tif 000014
【図９Ｄ】
2020120180.tif 000015
【図１０】
2020120180.tif 000016
【図１１】
2020120180.tif 000017
【図１２】
2020120180.tif 000018
【図１３】
2020120180.tif 000019
【図１４】
2020120180.tif 000020
【図１５】
2020120180.tif 000021
【図１６】
2020120180.tif 000022
【図１７】
2020120180.tif 000023
【図１８】
2020120180.tif 000024
【図１９】
2020120180.tif 000025